【事件の表示】
　特願２００８−１３４２５６「有精卵検査における自動式兼手動式検査装置」拒絶査定不服審判事件〔平成２１年１２月　３日出願公開、特開２００９−２７９５１６〕について、次のとおり審決する。
【結　論】
　本件審判の請求は、成り立たない。
【理　由】
第１．手続の経緯
　本願は、平成２０年５月２２日の出願であって、平成２４年５月２日付けの拒絶理由通知に対し、平成２４年５月２４日付けで意見書及び手続補正書が提出されたが、平成２４年１１月１５日付けで拒絶査定がなされ、平成２４年１２月２７日付け（受付日：平成２４年１２月２８日）で拒絶査定に対する審判請求がなされると同時に、同日付け（受付日：平成２４年１２月２８日）で明細書及び特許請求の範囲を補正する手続補正書が提出され、その後、当審において平成２５年５月１６日付けで書面による審尋がなされ、平成２５年７月２日付け（受付日：平成２５年７月３日）で回答書が提出されたものである。
　
第２．平成２４年１２月２７日付けの手続補正についての補正却下の決定
［補正却下の決定の結論］
　平成２４年１２月２７日付けの手続補正を却下する。
　
［理由］
１．本件補正
（１）本件補正の内容
　平成２４年１２月２７日付けの手続補正書による手続補正（以下、「本件補正」という。）は、特許請求の範囲に関して、本件補正により補正される前の（すなわち、平成２４年５月２４日付けの手続補正書により補正された）特許請求の範囲の下記（ア）を、下記（イ）と補正するものである。
　
（ア）本件補正前の特許請求の範囲
「　　【請求項１】
孵卵機から引き出した台車から有精卵の入ったトレーを取出用パレットに乗せて移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数１０個の有精卵を１列おきに下部の卵座で持ち上げかつハロゲン・ランプの光に押し当て該ハロゲン・ランプの上にあるスイッチボタンを押して除去する検卵上の電源を切りかつ該ランプを遮光した後に排出部へ情報を伝達して無精卵と有精卵の判別及び有精卵内の血管の発育状態を確認する第１次検査部と、前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査精度を高める第２次検卵部と、前記第２次検査終了後に卵を検卵機に戻して次工程に待機させておく卵取出部とから構成されるインフルエンザ用ワクチン及び動物用ワクチンの製造に必要な有精卵を検卵する有精卵検査装置において、前記処理システムの第１次検査部でライトアップしたのち該画像処理にて検卵の良否判定を行なった後に、次工程で不良品を自動的に取り出しかつ卵内血管の発育状態及び活力の確認をして複数卵の発育状態の比較と離れた位置での画像判定を無人化し、更に第２次検査部で画像処理システムのトレー供給部画面・ビッチ送部画面・ＮＧ排出部画面・異常表示画面・装置状態画面・モニター画面等の画面表示を手動操作しながら各画面を目視して最終検卵することが可能な構成になっているから、画像処理システムを第１次検査部と第２次検査部とに大別して第１次検査部では複数卵の発育状態の比較と離れた位置で画像判定を可能とし、第２検査部では手動操作しながら各画面の目視を可能にすることを特徴とする有精卵検査装置。」
　
（イ）本件補正後の特許請求の範囲
「　　【請求項１】
　孵卵機から引き出した台車から発育有精卵の入ったトレーを取出用パレットに乗せ移動させて検卵作業に搬送する卵投入部と、前記卵投入部から搬送されたトレーに入っている発育有精卵を下部から押し上げ上下に移動して発育有精卵の歪み位置を正常に整列する卵整列部と、前記卵整列部で数列に並んだ数１０個の発育有精卵を１列おきに下部の卵座で持ち上げかつハロゲン・ランプの光に押し当て、前記ハロゲン・ランプの上にあるスイッチボタンを押して除去する卵上の電源を切りかつ前記ハロゲン・ランプを遮光した後に排出部へ情報を伝達する第１次検査部と、前記第１次及び第２次の検査部の情報を受けて無精卵と発育異常卵とを吸引して廃棄卵入れに移動する無精卵と発育異常卵排出部と、前記無精卵と発育異常卵排出部の情報を受けかつ空いた部分へ検卵済みの良質の有精卵を自動供給する優良卵供給部と、
前記優良卵供給部から供給されてきた有精卵を再度検卵して検卵ミスが無いように再検査する第２次検査部と、前記２次検査終了後に卵を検卵機に戻して次工程に待機させておく卵取出部とから構成されており、更に検卵投入部がテーブル上に固定されているカバー上にレールを敷設しかつ該レールの外側にローラ支柱を固定し該ローラ支柱間にローラを配設してなるローラ軸を取付けなり、更に前記カバーにカバーパイプ用の穴を設けかつ該穴を介してパイプの上下移動を可能にしてなり、また卵整列部にロッドレスシリンダーを介してシャットを上下移動させカバーパイプ内のパイプを上下に移動してなり、また第１次及び第２次の検査部に先端に吸着ペットを有するスリーブを６分岐ライトガイドに内設しかつ該ライトガイドに照光式ボタンスイッチを付設してなり、また無精卵と発育異常卵排出部及び優良卵供給部に吸着パットを有するパット用ベースを隔壁ジョイント用ベースを介してシリンダジョイント用ベースに吸着してなり、また卵取出部にセンサー取付板に付設されているセンサーを介してスナップピンを作動し次工程に待機してなる有精卵自動検卵装置において、操作パネルの電源ポタンをＯＮにして操作パネルのメインメニュー画面を表示し、かつ手動操作を作動し手動操作画面を表示して希望の手動操作エリアを選択し、ついで原点復帰を行い起動／停止画面に切り替えかつ自動運転継続後に停止するように構成されることを特徴とする有精卵検査における自動式兼手動式の検査装置。
　
２．本件補正の適否についての判断
　本件補正前の請求項１には「無精卵と有精卵の判別及び有精卵内の血管の発育状態を確認する第１次検査部」と記載があったが、本件補正によって「無精卵と有精卵の判別及び有精卵内の血管の発育状態を確認する」との発明特定事項が削除された。
　また、本件補正前の請求項１には「インフルエンザ用ワクチン及び動物用ワクチンの製造に必要な有精卵を検卵する有精卵検査装置」と記載があったが、本件補正によって「インフルエンザ用ワクチン及び動物用ワクチンの製造に必要な」有精卵を検卵する旨の発明特定事項が削除された。
　さらに、本件補正前の請求項１には「前記処理システムの第１次検査部でライトアップしたのち該画像処理にて検卵の良否判定を行なった後に、次工程で不良品を自動的に取り出しかつ卵内血管の発育状態及び活力の確認をして複数卵の発育状態の比較と離れた位置での画像判定を無人化し、更に第２次検査部で画像処理システムのトレー供給部画面・ビッチ送部画面・ＮＧ排出部画面・異常表示画面・装置状態画面・モニター画面等の画面表示を手動操作しながら各画面を目視して最終検卵することが可能な構成になっているから、画像処理システムを第１次検査部と第２次検査部とに大別して第１次検査部では複数卵の発育状態の比較と離れた位置で画像判定を可能とし、第２検査部では手動操作しながら各画面の目視を可能にすることを特徴とする有精卵検査装置」と記載があったが、本件補正によって「前記処理システムの第１次検査部でライトアップしたのち該画像処理にて検卵の良否判定を行なった後に、次工程で不良品を自動的に取り出しかつ卵内血管の発育状態及び活力の確認をして複数卵の発育状態の比較と離れた位置での画像判定を無人化し、更に第２次検査部で画像処理システムのトレー供給部画面・ビッチ送部画面・ＮＧ排出部画面・異常表示画面・装置状態画面・モニター画面等の画面表示を手動操作しながら各画面を目視して最終検卵することが可能な構成になっているから、画像処理システムを第１次検査部と第２次検査部とに大別して第１次検査部では複数卵の発育状態の比較と離れた位置で画像判定を可能とし、第２検査部では手動操作しながら各画面の目視を可能にする」との発明特定事項が削除された。
　したがって、本件補正は、本件補正前の請求項１に記載した発明特定事項を限定するものではないので、特許法第１７条の２第５項第２号の特許請求の範囲の減縮を目的とするものではない。
　さらに、本件補正が同第１号の請求項の削除、同第３号の誤記の訂正、同第４号の明りょうでない記載の釈明のいずれも目的とするものでもないことは明らかである。
　
３．むすび
　以上により、本件補正は、同法第１７条の２第５項の規定に違反するので、同法第１５９号第１項において読み替えて準用する同法第５３条第１項の規定により却下すべきものである。
　
　よって、結論のとおり決定する。
　
第３　本願発明について
１．本願発明
　前記のとおり、平成２４年１２月２７日付けの手続補正は却下されたため、本願の請求項１に係る発明は、平成２４年５月２４日付けの手続補正書によって補正された明細書及び特許請求の範囲並びに出願当初の図面の記載からみて、その特許請求の範囲の請求項１に記載された事項により特定された上記（第２．の［理由］１．（１）（ア）【請求項１】）のとおりのものである（以下、「本願発明」という。）。
　
２．引用文献
（１）引用文献の記載
　本願の出願前に頒布され、原査定の拒絶の理由に引用された刊行物である特開２００７−１５１５４０号公報（以下、「引用文献」という。）には、例えば、次のような記載がある（なお、下線は理解の一助のために当審で付した。）。
　
（ア）「【請求項１】
孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する検卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵の発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する第２次検査部と、前記２次検査終了後に卵を検卵機に戻して次工程に待機させておく卵取出部とから構成される有精卵自動検卵装置において、前記ハロゲン・ランプの上にあるスイッチボタンを押して除去する検卵上の電源を切ることにより画像通信システムに情報を送り
有精卵自動検卵装置
【請求項２】
前記請求項から構成される
有精卵自動検卵装置の操作パネル
手動操作を作動し手動操作画面を表示して希望の手動操作エリアを選択し
トレー供給部画面・ピッチ送部画面・ＮＧ排出部画面・異常表示画面・装置状態画面・モニター画面
操作してなる
　
（イ）「【０００１】
  本発明は、
インフルエンザ用ワクチン及び動物用ワクチンなどの製造原料に使用されている鶏卵の検索方法
……（後略）……」（段落【０００１】）
　
（ウ）「【０００６】
  本発明は上記の如き課題を解決するために開発したものであって、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する検卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵の発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する第２次検査部と、前記２次検査終了後に卵を検卵機に戻して次工程に待機させておく卵取出部とから構成される有精卵自動検卵装置において、前記ハロゲン・ランプの上にあるスイッチボタンを押して除去する検卵上の電源を切ることにより画像通信システムに情報を送り、無精卵・発育不良卵・中死卵の判断基準情報の蓄積を積み上げて判断の精度を高めることを特徴とする有精卵自動検卵装置の提供にある。また前記有精卵自動検卵装置の操作パネルの電源ポタンをＯＮにして操作パネルのメインメニュー画面を表示し、ついで手動操作を作動し手動操作画面を表示して希望の手動操作エリアを選択し、ついで原点復帰を行い起動／停止画面に切り替えかつ自動運転継続後に停止する有精卵自動検卵装置において、トレー供給部画面・ピッチ送部画面・ＮＧ排出部画面・異常表示画面・装置状態画面・モニター画面及び画像通信システムの判断基準蓄積を操作してなる有精卵自動検卵装置の提供にある。更に前記の有精卵自動検卵装置であって孵卵機から引き出した台車から有精卵の入ったトレーを取出用パレットに乗せ移動させて検卵作業に搬送する卵投入部と、前記投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、前記ハロゲン・ランプの上にあるスイッチボタンを押して除去する卵上の電源を切りかつ前記ハロゲン・ランプを遮光した後に排出部へ情報を伝達する第２次検査部と、前記第１次及び第２次の検査部の情報を受けて無精卵と発育異常卵とを吸引して廃棄卵入れに移動する無精卵と発育異常卵排出部と、前記無精卵と発育異常卵排出部の情報を受けかつ空いた部分へ検卵済みの良質の有精卵を自動供給する優良卵供給部と、
前記優良卵供給部から供給されてきた有精卵を再度検卵して検卵ミスが無いように再検査する第２次検査部と
　
（エ）「【００１４】
  図１２乃至図１６は本発明装置の他の実施例を示したものであって、図１に示した本発明装置に画像処理システムを付設したものである。すなわち、有精卵自動検卵装置本体３１に画像処理システムＷと、画像処理用カメラＹを取り付けたものである。この画像処理システムＷを付設することによって、
検卵部でライトアップしたのち画像処理による良否判定を行うことができるので次工程で不良品を自動的に取り出すことができる。更に、卵内血管の発育状態と活力が確認可能となり、また複数卵の発育状態の比較と離れた位置での画像判定学習が可能となるので作業員の無人化ができる。
　
（２）引用文献記載の事項
　上記（１）（ア）ないし（エ）及び図面の記載から、引用文献には次の事項が記載されていることが分かる。
　
（カ）上記（１）（ア）及び図面の記載から、引用文献には、孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部を備える有精卵自動検卵装置が記載されていることが分かる。
　
（キ）上記（１）（ア）及び図面の記載から、引用文献に記載された有精卵自動検卵装置は、前記ハロゲン・ランプの上にあるスイッチボタンを押して除去する検卵上の電源を切りかつ前記ハロゲン・ランプを遮光した後に排出部へ情報を伝達する第２次検査部を備えるものであることが分かる。
　
（ク）上記（１）（ア）及び図面の記載から、引用文献に記載された有精卵自動検卵装置は、「第２次検査部」において、さらに「前記第１次及び第２次の検査部の情報を受けて無精卵と発育異常卵とを吸引して廃棄卵入れに移動する無精卵の発育異常卵排出部と、前記無精卵と発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再検査する」ものであることが分かる。
　
（ケ）上記（１）（ア）及び図面の記載から、引用文献に記載された有精卵自動検卵装置は、「前記２次検査終了後に卵を検卵機に戻して次工程に待機させておく卵取出部」を有するものであることが分かる。
　
（コ）上記（１）（イ）及び図面の記載から、引用文献に記載された有精卵自動検卵装置は、「インフルエンザ用ワクチン及び動物用ワクチンなどの製造原料に使用されている鶏卵」を検卵するものであることが分かる。
　
（サ）上記（１）（エ）の記載において、「ライトアップ」とは第１次検査部で「数十個の有精卵を」「ハロゲン・ランプの光に押し当て」ることであると認められるから、上記（１）（ア）及び（エ）並びに図面の記載より、引用文献に記載された有精卵自動検卵装置は、第１次検査部でライトアップしたのち画像処理にて検卵の良否判定を行なった後に、次工程で不良品を自動的に取り出しかつ卵内血管の発育状態及び活力の確認をして複数卵の発育状態の比較と離れた位置での画像判定を無人化するものであることが分かる。
　
（シ）上記（１）（ア）及び図面の記載から、引用文献に記載された有精卵自動検卵装置は、トレー供給部画面・ビッチ送部画面・ＮＧ排出部画面・異常表示画面・装置状態画面・モニター画面等の画面表示を手動操作することができるものであることが分かる。
　
（３）引用文献記載の発明
　上記（１）及び（２）並びに図面の記載から、引用文献には、次の発明（以下、「引用文献記載の発明」という。）が記載されているといえる。
　
「孵卵機から引き出した台車から有精卵の入ったトレーを取出用パレットに乗せ移動させて検卵作業に搬送する卵投入部と、前記卵投入部から搬送されたトレーに入っている有精卵を下部から押し上げ上下に移動して有精卵の歪み位置を正常に整列する卵整列部と、
前記卵整列部で数列に並んだ数十個の有精卵を１列おきに下部の卵座で持ち上げかつハロゲン・ランプの光に押し当て、更に無精卵と有精卵の判別及び有精卵内の血管の発育状態を確認する第１次検査部と、
前記第１次及び第２次の検査部の情報を受けて無精卵と発育異常卵とを吸引して廃棄卵入れに移動する無精卵の発育異常卵排出部と、前記無精卵と発育異常卵排出部の情報を受けかつ空いた部分へ検卵済みの良質の有精卵を自動供給する優良卵供給部と、
前記ハロゲン・ランプの上にあるスイッチボタンを押して除去する検卵上の電源を切りかつ前記ハロゲン・ランプを遮光した後に排出部へ情報を伝達するとともに、前記優良卵供給部から供給されてきた有精卵を再度検卵して検卵ミスが無いように再検査する第２次検査部と、
前記２次検査終了後に卵を検卵機に戻して次工程に待機させておく卵取出部とから構成されるインフルエンザ用ワクチン及び動物用ワクチンなどの製造原料に使用されている鶏卵を検卵する有精卵自動検卵装置において、
第１次検査部でライトアップしたのち画像処理にて検卵の良否判定を行なった後に、次工程で不良品を自動的に取り出しかつ卵内血管の発育状態及び活力の確認をして複数卵の発育状態の比較と離れた位置での画像判定を無人化し、
トレー供給部画面・ビッチ送部画面・ＮＧ排出部画面・異常表示画面・装置状態画面・モニター画面等の画面表示を手動操作することができる有精卵自動検卵装置。」
　
３．対比
　本願発明と引用文献記載の発明とを対比すると、引用文献記載の発明における「検卵ミスが無いように再検査する」ことは、その技術的意義及び作用からみて、本願発明において「検卵ミスが無いように再確認して発育鶏卵の検査精度を高める」ことに相当し、同様に、「インフルエンザ用ワクチン及び動物用ワクチンなどの製造原料に使用されている鶏卵を検卵する」ことは、「インフルエンザ用ワクチン及び動物用ワクチンの製造に必要な有精卵を検卵する」ことに、「第１次検査部」は「「第１次検査部」及び「前記処理システムの第１次検査部」に、「有精卵自動検卵装置」は「有精卵検査装置」に相当する。
　そして、「前記ハロゲン・ランプの上にあるスイッチボタンを押して除去する検卵上の電源を切りかつ前記ハロゲン・ランプを遮光した後に排出部へ情報を伝達」するという限りにおいて、引用文献記載の発明において第２次検査部で「前記ハロゲン・ランプの上にあるスイッチボタンを押して除去する検卵上の電源を切りかつ前記ハロゲン・ランプを遮光した後に排出部へ情報を伝達する」ことは、本願発明において第１次検査部で「該ハロゲン・ランプの上にあるスイッチボタンを押して除去する検卵上の電源を切りかつ該ランプを遮光した後に排出部へ情報を伝達」することに相当する。
　また、引用文献記載の発明における「無精卵の発育異常卵排出部」は、「無精卵と発育異常卵とを吸引して排気卵入れに移動する」ものであるから、その機能からみて、本願発明における「無精卵及び発育異常卵排出部」に相当する。
　そして、「少なくとも前記第１次検査部の情報を受けて無精卵と発育異常卵とを吸引して廃棄卵入れに移動する無精卵及び発育異常卵排出部」という限りにおいて、引用文献記載の発明における「前記第１次及び第２次の検査部の情報を受けて無精卵と発育異常卵とを吸引して廃棄卵入れに移動する無精卵の発育異常卵排出部」は、本願発明における「前記第１次検査部の情報を受けて無精卵と発育異常卵とを吸引して廃棄卵入れに移動する無精卵及び発育異常卵排出部」に相当する。
　さらに、「トレー供給部画面・ビッチ送部画面・ＮＧ排出部画面・異常表示画面・装置状態画面・モニター画面等の画面表示を手動操作することができる」という限りにおいて、引用文献記載の発明において「トレー供給部画面・ビッチ送部画面・ＮＧ排出部画面・異常表示画面・装置状態画面・モニター画面等の画面表示を手動操作することができる」ことは、本願発明において「更に第２次検査部で画像処理システムのトレー供給部画面・ビッチ送部画面・ＮＧ排出部画面・異常表示画面・装置状態画面・モニター画面等の画面表示を手動操作しながら各画面を目視して最終検卵することが可能な構成になっている」ことに相当する。
　
　したがって、本願発明と引用文献記載の発明は、
「孵卵機から引き出した台車から有精卵の入ったトレーを取出用パレットに乗せて移動させて検卵作業に搬送する卵投入部と、前記卵投入部から搬送されたトレーに入っている有精卵を下部から押し上げ上下に移動して有精卵の歪み位置を正常に整列する卵整列部と、前記卵整列部で数列に並んだ数１０個の有精卵を１列おきに下部の卵座で持ち上げかつハロゲン・ランプの光に押し当て無精卵と有精卵の判別及び有精卵内の血管の発育状態を確認する第１次検査部と、前記ハロゲン・ランプの上にあるスイッチボタンを押して除去する検卵上の電源を切りかつ前記ハロゲン・ランプを遮光した後に排出部へ情報を伝達して、少なくとも前記第１次検査部の情報を受けて無精卵と発育異常卵とを吸引して廃棄卵入れに移動する無精卵及び発育異常卵排出部と、前記無精卵及び発育異常卵排出部の情報を受けかつ空いた部分へ検卵済みの良質の有精卵を自動供給する優良卵供給部と、前記優良卵供給部から供給されてきた有精卵を再度検卵して検卵ミスが無いように再確認して発育鶏卵の検査精度を高める第２次検卵部と、前記第２次検査終了後に卵を検卵機に戻して次工程に待機させておく卵取出部とから構成されるインフルエンザ用ワクチン及び動物用ワクチンの製造に必要な有精卵を検卵する有精卵検査装置において、前記処理システムの第１次検査部でライトアップしたのち該画像処理にて検卵の良否判定を行なった後に、次工程で不良品を自動的に取り出しかつ卵内血管の発育状態及び活力の確認をして複数卵の発育状態の比較と離れた位置での画像判定を無人化し、トレー供給部画面・ビッチ送部画面・ＮＧ排出部画面・異常表示画面・装置状態画面・モニター画面等の画面表示を手動操作することができる有精卵検査装置。」
である点で一致し、次の各点において相違又は一応相違する。
　
〈相違点〉
（ａ）本願発明においては、「画像処理システムを第１次検査部と第２次検査部とに大別して第１次検査部では複数卵の発育状態の比較と離れた位置で画像判定を可能とし、第２検査部では手動操作しながら各画面の目視を可能にする」のに対し、引用文献記載の発明においては、第１次検査部と第２次検査部を有し、離れた位置での画像判定を無人化するものではあるが、第１次検査部と第２次検査部との役割の違いが明確でない点（以下、「相違点１」という。）。
　
（ｂ）「前記ハロゲン・ランプの上にあるスイッチボタンを押して除去する検卵上の電源を切りかつ前記ハロゲン・ランプを遮光した後に排出部へ情報を伝達」することに関し、本願発明においては、第１次検査部で「該ハロゲン・ランプの上にあるスイッチボタンを押して除去する検卵上の電源を切りかつ該ランプを遮光した後に排出部へ情報を伝達」するのに対し、引用文献記載の発明においては、第２次検査部で「前記ハロゲン・ランプの上にあるスイッチボタンを押して除去する検卵上の電源を切りかつ前記ハロゲン・ランプを遮光した後に排出部へ情報を伝達する」点（以下、「相違点２」という。）。
　
（ｃ）「少なくとも前記第１次検査部の情報を受けて無精卵と発育異常卵とを吸引して廃棄卵入れに移動する無精卵及び発育異常卵排出部」に関し、本願発明においては、「前記第１次検査部の情報を受けて無精卵と発育異常卵とを吸引して廃棄卵入れに移動する無精卵及び発育異常卵排出部」であるのに対し、引用文献記載の発明においては、「前記第１次及び第２次の検査部の情報を受けて無精卵と発育異常卵とを吸引して廃棄卵入れに移動する無精卵の発育異常卵排出部」である点（以下、「相違点３」という。）。
　
（ｄ）「トレー供給部画面・ビッチ送部画面・ＮＧ排出部画面・異常表示画面・装置状態画面・モニター画面等の画面表示を手動操作することができる」ことに関し、本願発明においては、「更に第２次検査部で画像処理システムのトレー供給部画面・ビッチ送部画面・ＮＧ排出部画面・異常表示画面・装置状態画面・モニター画面等の画面表示を手動操作しながら各画面を目視して最終検卵することが可能な構成になっている」のに対し、引用文献記載の発明においては、「トレー供給部画面・ビッチ送部画面・ＮＧ排出部画面・異常表示画面・装置状態画面・モニター画面等の画面表示を手動操作することができる」点（以下、「相違点４」という。）。
　
４．判断
　上記相違点について検討する。
　
（ａ）相違点１について
　引用文献には「前記優良卵供給部から供給されてきた有精卵を再度検卵して検卵ミスが無いように再検査する第２次検査部」（上記２．（１）（ア）及び（ウ）参照）と記載されているほか、一般に、検査工程を１次、２次に分け、１次検査を自動化して比較的精度の低い検査とし、２次検査を手動によって精度の高い検査とすることにより、全体として高度な判定を行うことは広く行われている事項であるから、引用文献記載の発明において、上記相違点１に係る本願発明の発明特定事項の様にすることは、当業者が容易に想到し得たことである。
　
（ｂ）相違点２について
　「ハロゲン・ランプの上にあるスイッチボタンを押して除去する検卵上の電源を切りかつ前記ハロゲン・ランプを遮光した後に排出部へ情報を伝達」することに関し、同事項を第１次検査部で行うか第２次検査部で行うかは、たとえ第２次検査が第１次検査と比べて精度の高い検査であったとしても、装置設計上、或いは業務設計上、適宜決めることができる事項であって、それ自体によって格別な効果の差を生むものではない。
　したがって、相違点２は、何ら実質的な相違点ではない。
　
（ｃ）相違点３について
　「無精卵の発育異常卵排出部」が、無精卵及び発育異常卵とを吸引し排気卵入れに移動するに際し、無精卵及び発育異常卵の認識情報を、第１次検査部だけから得るか、それとも第１次及び第２次検査部から得るかは、たとえ第２次検査が第１次検査と比べて精度の高い検査であったとしても、装置の設計によって決まるものであるところ、それ自体によって格別な効果の差を生むものではない。
　したがって、相違点３は、何ら実質的な相違点ではない。
　
（ｄ）相違点４について
　引用文献記載の発明においても、トレー供給部画面・ビッチ送部画面・ＮＧ排出部画面・異常表示画面・装置状態画面・モニター画面等の画面表示があり、手動操作可能である以上、第２検査部でこれらの画面を目視して最終検卵することは、当然可能である。
　したがって、相違点４は、何ら実質的な相違点ではない。
　
　また、本願発明を全体として検討しても、引用文献記載の発明から予測される以上の格別の効果を奏すると認めることはできない。
　
５．むすび
　以上のとおり、本願発明は、引用文献記載の発明に基づいて、当業者が容易に発明をすることができたものであるから、特許法第２９条第２項の規定により特許を受けることができない。
　
　よって、結論のとおり審決する。